(57)【要約】      （修正有）【課題】画質調整工程及び出荷の際に行うスタンド固定用螺子の取り付け、取り外しといった無駄な工程を削減することができる表示装置を提供する。【解決手段】画像を表示する表示面を正面側に有する表示部１と、表示部１を起立状態で支持するスタンド２とを備える表示装置において、表示部１に固定されるべき被固定板をスタンド２に備え、被固定板が下方から挿脱可能に挿嵌し、表示部１が起立した状態で被固定板を保持する挿嵌保持部１３を表示部１に備える。【選択図】図１
2009053264.tif 000002
【特許請求の範囲】
【請求項１】
画像を表示する表示面を正面側に有する表示部と、該表示部を起立状態で支持するスタンドとを備える表示装置において、
前記スタンドは、
前記表示部に固定されるべき被固定部を備え、
前記表示部は、
前記被固定部が下方から挿脱可能に挿嵌し、前記表示部が起立した状態で前記被固定部を保持する挿嵌保持部を備える
ことを特徴とする表示装置。
【請求項２】
画像を表示する表示面を正面側に有する表示部と、該表示部を起立状態で俯仰可能に支持するスタンドとを備える表示装置において、
前記スタンドは、
卓上に設置される脚部と、
該脚部に立設された支柱と、
前記表示部に固定されるべき板状の被固定部を前記支柱の横方向両側夫々に有し、横方向の支持軸によって俯仰可能に支持された俯仰体と
を備え、
前記表示部は、
前記表示面の背面側に配され、該表示部を補強する補強板と、
該補強板に形成されており、前記被固定部が下方から挿脱可能に挿嵌し、前記表示部が起立した状態で前記被固定部を保持する挿嵌保持部と
を備えることを特徴とする表示装置。
【請求項３】
前記挿嵌保持部は、
前記補強板の一部を平面視鉤状に曲成してなり、各被固定部の横方向外側部分を挾持する挾持部と、
前記補強板の一部を切り起こしてなり、前記挾持部に挾持された前記被固定部の上端部に当接して、該被固定部を係止する係止片と
を備えることを特徴とする請求項２に記載の表示装置。
【請求項４】
前記表示部は、
前記表示面の背面側に配されており、画質を調整するための信号が入力される入力部と、
該入力部及び前記挿嵌保持部を覆うキャビネットと
を備えることを特徴とする請求項１から請求項３のいずれか一つに記載の表示装置。
【発明の詳細な説明】
【技術分野】
【０００１】
本発明は、表示面を正面側に有する表示部と、該表示部を起立状態で支持するスタンドとを備える表示装置に関する。
【背景技術】
【０００２】
液晶テレビ、プラズマディスプレイ、有機ＥＬディスプレイ等の表示装置は、映像を表示する表示部、及び該表示部を起立状態で俯仰可能に支持するスタンドを備えている。スタンドは、一般に表示部に螺子止め固定されている。
【０００３】
例えば、映像信号処理回路基板を電磁遮蔽する金属板状のリアゼベルを液晶パネルの背面側に設け、リアゼベルにスタンドを直接螺子止めするように構成された表示装置が提案されている（例えば、特許文献１）。
【０００４】
また、液晶パネルの外装ケーシングにスタンドを螺子止めし、更に該外装ケーシングの背面側を後キャビネットで覆うように構成された表示装置が提案されている（例えば、特許文献２）。
【特許文献１】特開２００３−１５５４２号公報
【特許文献２】実用新案登録第３１１０９４５号公報
【発明の開示】
【発明が解決しようとする課題】
【０００５】
ところで、表示装置の製造工程、特に表示画像を確認しながら表示部の各種画質調整、定数変更等を行なう画質調整工程においては、表示面が見えるように表示部を立脚させる必要がある。一般に、各種画質調整用の入力端子は表示装置本体の背面側に設けられているため、表示面を下にして入力端子を使用しようとした場合、表示画像が見えなくなる。逆に表示面を上にした場合、入力端子を使用できなくなる。従って、画質調整工程においては、表示画像を確認でき、かつ入力端子を使用できる起立状態で表示部を保持すべく、表示部にスタンドを取り付ける必要がある。
一方、表示装置は、表示部からスタンドが取り外された状態で出荷される。小容量の梱包材に表示装置を梱包することによって、流通コストを抑えるためである。なお、表示装置の構成に応じて、スタンドを更に複数の構成部品に分解し、或いは分解した構成部材の一部を表示部に取り付けた状態で出荷することもできる。
【０００６】
しかしながら、従来の表示装置においては、スタンドを表示部に螺子止めする構成であるため、表示部及びスタンドを別体で出荷する場合、スタンド固定用螺子の取り付け、取り外しといった無駄な工程が発生し、作業効率が悪くなるという問題があった。
【０００７】
なお、専用の治具を用いて、表示部を起立状態で保持し、各種画質調整を行うことも考えられるが、専用の治具が必要となり、コスト増の原因となる。
また、スタンドを折り畳み可能に構成することによって、スタンドの着脱を行うことなく、画質調整、及び梱包材の小容量化を実現することも考えられるが、スタンドの特殊な折り畳み構造を備える必要があり、コスト増の原因となる。
【０００８】
本発明は斯かる事情に鑑みてなされたものであり、画質調整工程及び出荷の際に行うスタンド固定用螺子の取り付け、取り外しといった無駄な工程を簡素な構成で削減することができる表示装置を提供することを目的とする。
【課題を解決するための手段】
【０００９】
本発明に係る表示装置は、画像を表示する表示面を正面側に有する表示部と、該表示部を起立状態で支持するスタンドとを備える表示装置において、前記スタンドは、前記表示部に固定されるべき被固定部を備え、前記表示部は、前記被固定部が下方から挿脱可能に挿嵌し、前記表示部が起立した状態で前記被固定部を保持する挿嵌保持部を備えることを特徴とする。
【００１０】
本発明にあっては、表示部の挿嵌保持部にスタンドの被固定部を下方から挿嵌させた場合、表示部は起立状態で保持される。
また、被固定部は挿嵌保持部に挿脱が可能であるため、表示部にスタンドを螺子止めする場合に比して、より簡易に表示部をスタンドに取り付け、又は取り外すことができる。
【００１１】
本発明に係る表示装置は、画像を表示する表示面を正面側に有する表示部と、該表示部を起立状態で俯仰可能に支持するスタンドとを備える表示装置において、前記スタンドは、卓上に設置される脚部と、該脚部に立設された支柱と、前記表示部に固定されるべき板状の被固定部を前記支柱の横方向両側夫々に有し、横方向の支持軸によって俯仰可能に支持された俯仰体とを備え、前記表示部は、前記表示面の背面側に配され、該表示部を補強する補強板と、該補強板に形成されており、前記被固定部が下方から挿脱可能に挿嵌し、前記表示部が起立した状態で前記被固定部を保持する挿嵌保持部とを備えることを特徴とする。
【００１２】
本発明にあっては、上述の発明と同様、表示部の挿嵌保持部にスタンドの被固定部を下方から挿嵌させた場合、表示部は起立状態で保持される。
また、被固定部は挿嵌保持部に挿脱が可能であるため、表示部にスタンドを螺子止めする場合に比して、より簡易に表示部をスタンドに取り付け、又は取り外すことができる。
更に、挿嵌保持部は、表示部を補強する既存の補強板に形成されているため、部品点数の増加が抑えられる。
【００１３】
本発明に係る表示装置は、前記挿嵌保持部は、前記補強板の一部を平面視鉤状に曲成してなり、各被固定部の横方向外側部分を挾持する挾持部と、前記補強板の一部を切り起こしてなり、前記挾持部に挾持された前記被固定部の上端部に当接して、該被固定部を係止する係止片とを備えることを特徴とする。
【００１４】
本発明にあっては、挿嵌保持部の挾持部は補強板の一部を曲成してなり、係止片は補強板の一部を切り起こして形成されているため、挿嵌保持部を低コストで形成することができる。また、別体で構成された挿嵌保持部を表示部に備える場合に比して、表示部をより薄型化することができる。
【００１５】
本発明に係る表示装置は、前記表示部は、前記表示面の背面側に配されており、画質を調整するための信号が入力される入力部と、該入力部及び前記挿嵌保持部を覆うキャビネットとを備えることを特徴とする。
【００１６】
本発明にあっては、画質調整用の入力部が表示面の背面側に配され、該入力部及び挿嵌保持部がキャビネットにて覆われる構成であるため、キャビネットを取り外した状態で、表示部にスタンドを取り付けることができ、且つ入力部を使用することができる。
また、画質調整を終えた後にキャビネットを取り付けることができるため、キャビネットに入力部を利用するための開口部、該開口部を覆う蓋体等が不要になる。
【発明の効果】
【００１７】
本発明によれば、表示部に固定されるべきスタンドの被固定部が下方から挿脱可能に挿嵌し、挿嵌された前記被固定部を保持する挿嵌保持部を表示部に備えることによって、画質調整工程及び出荷の際に行うスタンド固定用螺子の取り付け、取り外しといった無駄な工程を簡素な構成で削減することができる。
【発明を実施するための最良の形態】
【００１８】
以下本発明をその実施の形態を示す図面に基づいて詳述する。
図１は、本発明の実施の形態に係る表示装置を示す背面側の模式的分解斜視図、図２は、表示装置を示す正面側の模式的斜視図、図３は、表示装置の要部を示す背面側の模式的拡大斜視図である。本発明の実施の形態に係る表示装置は、表示部１と、表示部１を起立状態で俯仰可能に支持するスタンド２とを備え、螺子を使用することなく、表示部１をスタンド２に支持させることができるように構成されている。
【００１９】
スタンド２は、卓上に載置されるベース部２１（脚部）と、ベース部２１に立設された金属製の支柱２２と、支持軸２３，２３によって支柱２２の上端部に俯仰可能に支持された俯仰体２４とを備えている。
【００２０】
ベース部２１は、略中央部が盛り上がった略円板状の伏皿状をなし、中央部の背面寄り部分には、上方へ突出し、支柱２２を覆い囲む中空四角柱状の筒部２１ａが形成されている。
【００２１】
ベース部２１の筒部２１ａより更に背面側には、表示部１に接続された電源コード、アンテナケーブル等の各種ケーブルを束ねるためのケーブルクランプ２５が取り付けられている。ケーブルクランプ２５は、弾性を有する樹脂からなり、上方が開放した略Ｃ字状をなしている。また、ベース部２１には補強用の図示しない金属板が底部に設けられている。
【００２２】
支柱２２は、縦長略矩形状の正面壁２２ａと、該正面壁２２ａに対して略垂直に形成された側壁２２ｂ，２２ｂとを備え、後方が開放した平面視角溝型をなしている。支柱２２の下部にはベース部２１の金属板に取り付けられる取付板が形成されており、支柱２２の先端部が筒部２１ａから上方へ突出した起立状態で、取付板はベース部２１の金属板に螺子止めされている。側壁２２ｂ，２２ｂの上辺部には、俯仰体２４及び表示部１の俯仰角度を制限するための凹部２２ｃ，２２ｃが形成されている。
【００２３】
支柱２２の横方向両側を構成する各側壁２２ｂ，２２ｂの上部適宜箇所には挿通孔が形成されており、軸心方向が横方向の支持軸２３，２３が前記挿通孔に夫々挿通し、該支持軸２３，２３にて俯仰体２４が俯仰可能に支持されている。なお、表示装置の使用時においては、筒部２１ａから突出した支柱２２の先端部分及び俯仰体２４は、図１に示すように覆体２６によって覆われる。
【００２４】
俯仰体２４は、支柱２２の横方向外側夫々に配され、支持軸２３，２３にて支持される被軸支板２４ａ，２４ａと、被軸支板２４ａ，２４ａの正面側から横方向外側に屈曲し、表示部１に固定されるべき被固定板（被固定部）２４ｃ，２４ｃとから構成されている。
【００２５】
被軸支板２４ａ，２４ａは、角部にアールを有する縦長矩形状であり、上辺部には、横方向内側、即ち支柱２２の側壁２２ｂ，２２ｂ側に屈曲し、表示部１の俯仰角度を制限する俯仰規制片２４ｂ，２４ｂが形成されている。俯仰規制片２４ｂ，２４ｂの回動範囲は、支柱２２の側壁２２ｂ，２２ｂに形成された凹部２２ｃ，２２ｃ内に制限されるため、俯仰角度が制限される。
【００２６】
被固定板２４ｃ，２４ｃは、縦長長方形の横方向外側上部の頂点部分を切り欠いた略台形状である。被固定板２４ｃ，２４ｃの上辺部には、上方に突出した突出部（上端部）２４ｄ，２４ｄが形成されている。また、被固定板２４ｃ，２４ｃの適宜箇所には、被固定板２４ｃ，２４ｃを表示部１に固定するための螺子挿通孔２４ｅ，２４ｅが形成されている。
【００２７】
表示部１は、前後方向に偏平な略直方体をなし、正面側に横長矩形の表示面１１ａを有する表示部本体１１と、表示部本体１１の背面側に設けられ、表示部１を補強する金属製の補強板１２と、表示部本体１１の前側周縁部を取り囲む前キャビネット１４と、表示部本体１１及び補強板１２の後側を覆う後キャビネット１５とを備えている。前キャビネット１４及び後キャビネット１５は樹脂製であり、互いに螺子止め固定されている。
【００２８】
表示部本体１１は、正面側に表示面１１ａを有する映像表示パネルと、映像表示パネルを後側から照明するバックライト部と、バックライト部及び映像表示パネル間に介装された光学シートとを備えている。
映像表示パネルは、例えば透過型の液晶パネルである。バックライト部は、正面側が開放された略直方体の箱形をなすバックライトシャーシと、バックライトシャーシ内において上下に離隔して並設された複数本のランプとを有する。
ランプは、例えば、直管型の冷陰極蛍光管（CCFL:cold cathode fluorescent lamp）であり、長手方向が横方向になるように並設されている。冷陰極蛍光管の両端部の電極には図示しないインバータ回路基板が接続され、パルス幅変調によってランプの明るさが制御されるように構成されている。
光学シートは、拡散板、プリズムシート等のシートを積層してなり、バックライト部からの光を拡散及び均一化し、明るさムラのない光を映像表示パネルに照射する。
【００２９】
補強板１２は、背面視において表示部本体１１の上下に亘る縦長略長方形状である。補強板１２の下部には、スタンド２の被固定板２４ｃ，２４ｃが下方から挿脱可能に挿嵌し、表示部１が起立した状態で被固定板２４ｃ，２４ｃを保持する挿嵌保持部１３が形成されている。また、補強板１２は、表示部１を、外部の壁掛け用金具、アーム等に固定するためのＶＥＳＡ（Video Electoronics Standard Association）規格に準拠した取付構造を備えている。
【００３０】
挿嵌保持部１３は、補強板１２の各側辺の下端部夫々を平面視鉤状に曲成してなり、被固定板２４ｃ，２４ｃの横方向外側の側辺部分を挾持する挾持部１３ａ，１３ａを備えている。詳細には、挾持部１３ａ，１３ａは、下端部から横方向外側に延設された板材を、背面側に略垂直に屈曲させ、先端部を横方向内側に折り曲げて形成されている。
また、挿嵌保持部１３は、補強板１２の一部、具体的には各挾持部１３ａ，１３ａの上方、横方向内側部分の一部を下方に切り起こしてなり、挾持部１３ａ，１３ａに挾持された各被固定板２４ｃ，２４ｃの突出部２４ｄ，２４ｄに当接して、被固定板２４ｃ，２４ｃを係止する２枚の係止片１３ｂ，１３ｂを備えている。
【００３１】
また、表示部本体１１の背面側の適宜箇所には、製造工程において画質を調整するための信号が入力される入力端子（入力部）１６が配設されている。
【００３２】
次に、本実施の形態に係る表示装置の作用及び効果を説明する。
図４は、表示部１からスタンド２を取り外した表示装置の模式図、図５は、表示部１にスタンド２を挿嵌保持させた表示装置の模式図である。図４（ａ）、図５（ａ）は夫々表示部１及びスタンド２の背面図、図４（ｂ）、図５（ｂ）は夫々表示部１及びスタンド２の側面図であり、図４及び図５は、後キャビネット１５及び覆体２６を取り付ける前の表示装置を示している。
【００３３】
表示装置の製造工程においては、表示部１及びスタンド２は各別に製造され、表示部１の画質調整が行われる。画質調整工程で各種画質調整を行う場合、表示部１の裏側に配された入力端子１６に各種ケーブルを接続した上、表示面１１ａに表示される画像を見ながら画質調整を行う必要があるため、表示部１を起立状態で保持する必要がある。
そこで、画質調整工程においては、スタンド２を作業台に設置し、表示部１をスタンド２の上方からスライドさせ、スタンド２の被固定板２４ｃ，２４ｃを表示部１の挿嵌保持部１３に挿嵌させる。被固定板２４ｃ，２４ｃが挿嵌保持部１３に挿嵌した場合、被固定板２４ｃ，２４ｃは挾持部１３ａ，１３ａに挾持される。そして被固定板２４ｃ，２４ｃの突出部２４ｄ，２４ｄが係止片１３ｂ，１３ｂに当接して、被固定板２４ｃ，２４ｃが係止されるため、スタンド固定用螺子２７，２７（図６参照）で螺子止めすることなく、表示部１は起立状態でスタンド２に支持される。
【００３４】
各種画質調整を終えた場合、表示部１を上方に持ち上げるだけで、表示部１からスタンド２を取り外すことができる。スタンド２の被固定板２４ｃ，２４ｃは挿嵌保持部１３に挿脱可能に挿嵌しているため、螺子の取り外しを要さず表示部１からスタンド２を取り外すことができる。
そして、他の各種工程を終えた後、表示部１と、スタンド２とを別体で梱包し、出荷することができる。なお、表示装置の構成に応じて、スタンド２を更に複数の構成部品に分解し、或いは分解した構成部材の一部を表示部に取り付けた状態で出荷しても良い。例えば、スタンド２の構成部品の一部、例えば俯仰体２４、又は俯仰体２４及び支柱２２を表示部１に取り付けた状態で出荷しても良い。
【００３５】
このように構成された表示装置にあっては、画質調整工程及び出荷の際に行うスタンド固定用螺子２７，２７の取り付け、取り外しといった無駄な工程を削減することができる。
つまり、画質調整工程において螺子止めを行うことなく、表示部１を起立状態で保持することができ、螺子を取り外すことなく、表示部１をスタンド２から取り外すことができる。
【００３６】
図６は、表示部１にスタンド２を固定した表示装置の模式的拡大斜視図である。表示装置を使用する場合、図６に示すように、表示部１にスタンド２が取り付けられる。補強板１２は、挿嵌保持部１３に挿嵌保持された俯仰体２４の螺子挿通孔２４ｅ，２４ｅに対応する雌螺子が形成されており、俯仰体２４はスタンド固定用螺子２７，２７によって補強板１２に締結されている。
【００３７】
本実施の形態に係る表示装置にあっては、表示装置の製造工程において使用した挿嵌保持部１３に被固定板２４ｃ，２４ｃを挿嵌保持させて、表示部１にスタンド２を締結することができ、製造工程及び使用時において本発明に係るスタンド支持構造を共有することができる。
【００３８】
また、表示装置を構成するスタンド２を用いて表示部１を起立状態で支持させることができるため、専用の治具は不要であり、治具とスタンド２とを兼用することができる。
【００３９】
更に、挿嵌保持部１３は、既存の補強板１２に形成されているため、部品点数を増加させることなく、本発明に係る支持構造を構成することができる。また、挾持部１３ａ，１３ａ及び係止片１３ｂ，１３ｂは補強板１２の曲成又は切り起こしによって形成されているため、挿嵌保持部１３を低コストで形成することができる。また、別体で構成された挿嵌保持部を表示部１に備える場合に比して、表示部１をより薄型化することができる。
【００４０】
更にまた、補強板１２に挿嵌保持部１３が形成され、入力端子１６及び挿嵌保持部１３等を後キャビネット１５で覆う構成であるため、後キャビネット１５を取り付けない状態で表示部１をスタンド２に支持させることができ、入力端子１６を用いて画質調整を行うことができる。従って、画質調整用の入力端子１６用の開口部を後キャビネット１５に形成する必要が無く、該開口部を覆う調整用カバーも不要になる。
【００４１】
なお、本発明に係る表示装置の一例として液晶テレビを説明したが、プラズマ表示装置、有機ＥＬディスプレイ等の他の表示装置に本発明を適用しても良い。
【図面の簡単な説明】
【００４２】
【図１】本発明の実施の形態に係る表示装置を示す背面側の模式的分解斜視図である。
【図２】図２は、表示装置を示す正面側の模式的斜視図である。
【図３】表示装置の要部を示す背面側の模式的拡大斜視図である。
【図４】表示部からスタンドを取り外した表示装置の模式図である。
【図５】表示部にスタンドを挿嵌保持させた表示装置の模式図である。
【図６】表示部にスタンドを固定した表示装置の模式的拡大斜視図である。
【符号の説明】
【００４３】
１  表示部
２  スタンド
１１  表示部本体
１１ａ  表示面
１２  補強板
１３  挿嵌保持部
１３ａ，１３ａ  挾持部
１３ｂ，１３ｂ  係止片
１５  後キャビネット
１６  入力端子（入力部）
２１  ベース部（脚部）
２２  支柱
２３，２３  支持軸
２４  俯仰体
２４ａ，２４ａ  被軸支板
２４ｃ，２４ｃ  被固定板（被固定部）
２４ｄ，２４ｄ  突出部（上端部）
２４ｅ，２４ｅ  螺子孔
２７  スタンド固定用螺子
【図１】
2009053264.tif 000003
【図２】
2009053264.tif 000004
【図３】
2009053264.tif 000005
【図４】
2009053264.tif 000006
【図５】
2009053264.tif 000007
【図６】
2009053264.tif 000008